(57)【要約】【課題】円形の印刷可能領域に対する印刷において、印刷結果の見映えを向上する。【解決手段】画像処理装置は、所定の特徴領域を含む第１の画像を含む複数の画像の中から選択された画像を用いて、第１の円を外形とする円領域に対応付けられた第２の画像を生成する。画像処理装置は、領域分割部と、特徴領域情報取得部と、配置決定部と、生成部と、を備える。領域分割部は、円領域を複数の対象領域に分割する。特徴領域取得部は、特徴領域の第１の画像における位置および大きさを特定する特徴領域情報を取得する。配置決定部は、複数の対象領域の全部または一部に配置される画像を、特徴領域情報を用いて、第１の画像を含む複数の画像の中から決定する。生成部は、決定された画像を用いて、第２の画像を生成する。【選択図】図３
2007235686.tif 000002
【特許請求の範囲】
【請求項１】
所定の特徴領域を含む第１の画像を含む複数の画像の中から選択された画像を用いて、第１の円を外形とする円領域に対応付けられた第２の画像を生成する画像処理装置であって、
前記円領域を複数の対象領域に分割する領域分割部と、
前記特徴領域の前記第１の画像における位置および大きさを特定する特徴領域情報を取得する特徴領域情報取得部と、
前記第１の画像を含む複数の画像の中から、前記複数の対象領域の全部または一部に配置される画像を、前記特徴領域情報を用いて決定する配置決定部と、
前記決定された画像を用いて、前記第２の画像を生成する生成部と、
を備える画像処理装置。
【請求項２】
請求項１に記載の画像処理装置において、
前記配置決定部は、前記対象領域に対して所定の基準に従って配置した場合に、少なくとも前記特徴領域が前記対象領域に含まれる前記第１の画像を、前記対象領域に配置すると決定する、画像処理装置。
【請求項３】
請求項１または請求項２に記載の画像処理装置において、
前記配置決定部は、前記対象領域に対して所定の基準に従って配置した場合に、少なくとも前記特徴領域の前記対象領域に対する大きさが所定値以上である前記第１の画像を、前記対象領域に配置すると決定する、画像処理装置。
【請求項４】
請求項１ないし請求項３のいずれかに記載の画像処理装置において、
前記複数の画像は、複数の前記第１の画像を含み、
複数の前記第１の画像には、優先順位が規定されており、
前記配置決定部は、前記特徴領域情報に加えて前記優先順位を用いて、前記複数の対象領域の全部または一部に配置される画像を決定する、画像処理装置。
【請求項５】
請求項１ないし請求項３のいずれかに記載の画像処理装置において、
前記複数の画像は、複数の前記第１の画像を含み、
前記配置決定部は、
前記特徴情報を用いて、前記複数の対象領域の全部または一部に配置される候補画像を選択し、
前記候補画像をユーザに示すと共に、前記ユーザからの所定の指示を受け付け、
前記指示に従って、前記候補画像の中から前記複数の対象領域の全部または一部に配置される画像を決定する、画像処理装置。
【請求項６】
請求項１ないし請求項５のいずれかに記載の画像処理装置において、
前記複数の画像は、前記第１の画像と共に、前記特徴領域を含まない第３の画像を含み、
前記配置決定部は、前記複数の対象領域のうちの一の対象領域に配置する前記第１の画像がない場合には、前記第２の画像を、前記一の対象領域に配置する画像として決定する、画像処理装置。
【請求項７】
請求項１ないし請求項６のいずれかに記載の画像処理装置において、
前記配置決定部は、前記複数の対象領域に、画像が時系列順に配置されるように、各対象領域に配置される画像を決定する、画像処理装置。
【請求項８】
請求項１ないし請求項７のいずれかに記載の画像処理装置において、
前記特徴領域情報取得部は、前記第１の画像に関連付けられている付属情報の中から前記特徴領域情報を取得する、画像処理装置。
【請求項９】
請求項１ないし請求項８のいずれかに記載の画像処理装置において、
前記特徴領域情報取得部は、前記第１の画像を表す画像データを解析して、前記特徴領域を検出することによって、前記特徴領域情報を取得する、画像処理装置。
【請求項１０】
請求項１ないし請求項９のいずれかに記載の画像処理装置において、
前記特徴領域は、所定の被写体を示す領域である、画像処理装置。
【請求項１１】
請求項１０に記載の画像処理装置において、
前記所定の被写体は、人物の顔である、画像処理装置。
【請求項１２】
請求項１ないし請求項１１のいずれかに記載の画像処理装置において、
前記円領域は、電子情報を記録するための円形の記録媒体のレーベル面に対応する領域である、画像処理装置。
【請求項１３】
所定の特徴領域を含む第１の画像を含む複数の画像の中から選択された画像を用いて、第１の円を外形とする円領域に対応付けられた第２の画像を生成する画像処理方法であって、
前記円領域を複数の対象領域に分割し、
前記特徴領域の前記第１の画像における位置および大きさを特定する特徴領域情報を取得し、
前記第１の画像を含む複数の画像の中から、前記複数の対象領域の全部または一部に配置される画像を、前記特徴領域情報を用いて決定し、
前記決定された画像を用いて、前記第２の画像を生成する、画像処理方法。
【請求項１４】
所定の特徴領域を含む第１の画像を含む複数の画像の中から選択された画像を用いて、第１の円を外形とする円領域に対応付けられた第２の画像を生成するためのコンピュータプログラムであって、
前記円領域を複数の対象領域に分割する機能と、
前記特徴領域の前記第１の画像における位置および大きさを特定する特徴領域情報を取得する機能と、
前記第１の画像を含む複数の画像の中から、前記複数の対象領域の全部または一部に配置される画像を、前記特徴領域情報を用いて決定する機能と、
前記決定された画像を用いて、前記第２の画像を生成する機能と、
をコンピュータに実現させるコンピュータプログラム。
【発明の詳細な説明】
【技術分野】
【０００１】
本発明は、画像処理に関し、特に円領域に対応する画像データの生成に関する。
【背景技術】
【０００２】
家庭向けのインクジェットプリンタをはじめとするパーソナルユースの印刷装置が普及している。かかる印刷装置には、ＤＶＤ−Ｒ、ＣＤ−Ｒをはじめとする円形の電子記録媒体のレーベル面に、直接印刷を行う機能を備えるものがある。このようなレーベル印刷では、印刷可能領域は、円形であるのに対して、印刷しようとする画像データ、例えば、デジタルカメラで生成された画像データは、矩形であることが多い。このため、印刷に用いる画像データを、円形である印刷可能領域に対応させるため、印刷に用いる画像データに対して、加工を加える画像処理技術が知られている（例えば、特許文献１）。
【０００３】
この画像処理技術では、矩形画像の全体が、円形の印刷可能領域に収まるように、矩形画像の画像データに縮小処理を施すことや、矩形画像を円形の印刷可能領域に合わせて切り抜くために、矩形画像の画像データにトリミング処理を施こすことが行われている。
【０００４】
【特許文献１】特開２００４−１２２５８３号公報
【特許文献２】特開２００２−２９２９３９号公報
【発明の開示】
【発明が解決しようとする課題】
【０００５】
しかしながら、上記従来技術では、印刷しようとする矩形画像の特徴的な領域（例えば、主要被写体が写っている領域）について考慮していない。このため、上記従来技術では、縮小処理によって特徴的な領域が小さくなりすぎたり、トリミング処理によって特徴的な領域が欠けてしまったりするおそれがあり、印刷結果の見映えが悪い場合があった。
【０００６】
このような課題は、ＤＶＤ、ＣＤ−Ｒをはじめとする円形の電子記録媒体のレーベル面に印刷を行う場合に限らず、矩形の画像データを用いて、円形の印刷可能領域に対して印刷を実行する場合に、共通する課題であった。
【０００７】
本発明は、上記課題を解決するためになされたものであり、円形の印刷可能領域に対して印刷を実行する場合において、印刷結果の見映えを向上することを目的とする。
【課題を解決するための手段】
【０００８】
上記課題の少なくとも一部を解決するため、本発明の第１の態様は、所定の特徴領域を含む第１の画像を含む複数の画像の中から選択された画像を用いて、第１の円を外形とする円領域に対応付けられた第２の画像を生成する画像処理装置を提供する。第１の態様に係る画像処理装置は、領域分割部と、特徴領域情報取得部と、配置決定部と、生成部と、を備える。前記領域分割部は、前記円領域を複数の対象領域に分割する。前記特徴領域取得部は、前記特徴領域の前記第１の画像における位置および大きさを特定する特徴領域情報を取得する。前記配置決定部は、前記第１の画像を含む複数の画像の中から、前記複数の対象領域の全部または一部に配置される画像を、前記特徴領域情報を用いて決定する。前記生成部は、前記決定された画像を用いて、前記第２の画像を生成する。
【０００９】
第１の態様に係る画像処理装置によれば、第１の画像を含む複数の画像の中から、第１の画像の特徴領域の位置および大きさを考慮して、第２の画像の生成に用いる画像が決定される。従って、生成された第２の画像に用いられた場合に見映えが良い画像を適切に決定でき、第２の画像の見映えを向上することができる。
【００１０】
第１の態様に係る画像処理装置において、前記配置決定部は、前記対象領域に対して所定の基準に従って配置した場合に、少なくとも前記特徴領域が前記対象領域に含まれる前記第１の画像を、前記対象領域に配置すると決定しても良い。こうすれば、第２の画像において、特徴領域が欠けてしまうことがなく、印刷結果の見映えを向上することができる。
【００１１】
第１の態様に係る画像処理装置において、前記配置決定部は、前記対象領域に対して所定の基準に従って配置した場合に、少なくとも前記特徴領域の前記対象領域に対する大きさが所定値以上である前記第１の画像を、前記対象領域に配置すると決定しても良い。こうすれば、第２の画像において、特徴領域が小さくなり過ぎることがなく、印刷結果の見映えをさらに向上することができる。
【００１２】
第１の態様に係る画像処理装置において、前記複数の画像は、複数の前記第１の画像を含み、複数の前記第１の画像には、優先順位が規定されており、前記配置決定部は、前記特徴領域情報に加えて前記優先順位を用いて、前記複数の対象領域の全部または一部に配置される画像を決定しても良い。こうすれば、さらに優先順位を考慮することにより、より好ましい第２の画像を生成することができる。
【００１３】
第１の態様に係る画像処理装置において、前記複数の画像は、複数の前記第１の画像を含み、前記配置決定部は、前記特徴情報を用いて、前記複数の対象領域の全部または一部に配置される候補画像を選択し、前記候補画像をユーザに示すと共に、前記ユーザからの所定の指示を受け付け、前記指示に従って、前記候補画像の中から前記複数の対象領域の全部または一部に配置される画像を決定しても良い。こうすれば、ユーザの意向を考慮して、より好ましい第２の画像を生成することができる。
【００１４】
第１の態様に係る画像処理装置において、前記複数の画像は、前記第１の画像と共に、前記特徴領域を含まない第３の画像を含み、前記配置決定部は、前記複数の対象領域のうちの一の対象領域に配置する前記第１の画像がない場合には、前記第２の画像を、前記一の対象領域に配置する画像として決定しても良い。こうすれば、第１の画像のなかに適切な画像がない場合でも、第２の画像を生成することができる。
【００１５】
第１の態様に係る画像処理装置において、前記配置決定部は、前記複数の対象領域に、画像が時系列順に配置されるように、各対象領域に配置される画像を決定しても良い。こうすれば、複数の対象領域に時系列順に画像を配置することにより、趣のある第２の画像を生成することができる。
【００１６】
第１の態様に係る画像処理装置において、前記特徴領域情報取得部は、前記第１の画像データに関連付けられている付属情報の中から前記特徴領域情報を取得しても良い。こうすれば、容易に特徴領域情報を取得することができる。
【００１７】
第１の態様に係る画像処理装置において、前記特徴領域情報取得部は、前記第１の画像データを解析して、前記特徴領域を検出することによって、前記特徴領域情報を取得しても良い。こうすれば、特徴領域情報を、第１の画像データを解析することにより取得することができる。
【００１８】
第１の態様に係る画像処理装置において、前記特徴領域は、所定の被写体を示す領域であっても良く、例えば、人物の顔を示す領域であっても良い。
【００１９】
第１の態様に係る画像処理装置において、前記円領域は、電子情報を記録するための円形の記録媒体のレーベル面に対応する領域であっても良い。
【００２０】
なお、本発明は、種々の態様で実現することが可能であり、上述した画像処理装置や、画像処理部を備える印刷装置のような装置発明に加えて、例えば、円領域に対応付けられた画像を生成する方法のような方法発明として実現することができる。あるいは、かかる装置または方法を構築するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００２１】
Ａ．実施例：
・画像処理装置の構成：
次に、本発明の実施の形態を実施例に基づき説明する。図１は、本実施例に係る画像処理装置として機能するプリンタの概略構成を示すブロック図である。図２は、本実施例におけるプリンタの印刷部の概略構成を示す説明図である。このプリンタ２００を用いることにより、ユーザは、選択した画像データを用いて、ＤＶＤ、ＣＤ−Ｒをはじめとする円形の電子記録媒体のレーベル面に対して、容易に印刷を行うことができる。
【００２２】
プリンタ２００は、ＣＰＵ２１０と、ＲＯＭやＲＡＭなどの内部記憶装置２２０と、外部記憶装置２５０と、液晶パネルなどの表示部２６０と、ユーザからの要求を受け付けるための操作ボタンを備えたパネルなどの操作部２７０と、印刷部２８０と、を備えている。
【００２３】
外部記憶装置２５０は、画像ファイルを保存しておくための記憶装置であり、メモリカードや、ＣＤ−Ｒなどの脱着可能な記録媒体を用いる装置であっても良いし、内蔵ＨＤＤ（ハードディスクドライブ）装置であっても良い。外部記憶装置２５０には、ユーザによって格納された複数の画像ファイル、例えば、デジタルカメラを用いて生成された複数の画像ファイルが、画像フォルダ２５２に分類されて格納されている。各画像ファイルは、例えば、デジタルカメラ用画像ファイルフォーマット規格（Exif）に従ったファイル構造を有し、矩形画像を表す画像データと、画像データに関連付けられた付属情報を含んでいる。矩形画像を表す画像データは、例えば、ＪＰＥＧ形式、ＴＩＦＦ形式、ＧＩＦ形式、ＢＭＰ形式などの保存形式で、画像ファイルに格納されている。
【００２４】
印刷部２８０は、実際に印刷を行う機構部分であり、本実施例では、例えば、シアン（Ｃ）、マゼンタ（Ｍ）、イエロー（Ｙ）、ブラック（Ｋ）の４色の色インクを印刷媒体上に噴射してドットパターンを形成することによって画像を形成するインクジェット方式の印刷部である。図２に示すように、印刷部２８０は、キャリッジガイド軸１３に摺動可能に取り付けられたキャリッジ１０を備えている。キャリッジ１０には、印刷媒体にインクを吐出する記録ヘッド１１が搭載されている。図示は省略するが、印刷部２８０は、記録ヘッド１１を駆動してインクの吐出およびドット形成を行う機構と、このキャリッジ１０をキャリッジガイド軸１３の軸方向（図２：Ｘ方向）に往復動させる機構と、トレイＴを図２におけるＹ方向に搬送する機構とを備えている。トレイＴは、図２に示すように矩形板形状を有している。トレイＴの略中央部には、ＤＶＤやＣＤ−Ｒなどの円形の電子記録媒体２０を嵌合するための円形の凸部である嵌合部１６が設けられている。印刷部２８０は、後述する印刷制御部２４０の制御に従い、上述した各機構を協働して動作させることにより、電子記録媒体２０の上の印刷可能領域（後述）に印刷を実行することができる。
【００２５】
内部記憶装置２２０（図１）には、画像処理部２３０として機能するコンピュータプログラムと、印刷制御部２４０として機能するコンピュータプログラムが格納されている。なお、画像処理部２３０および印刷制御部２４０の機能は、ＣＰＵ２１０がコンピュータプログラムを実行することによって実現される。
【００２６】
画像処理部２３０は、領域分割部２３１と、画像取得部２３２と、顔領域情報取得部２３３と、画像配置決定部２３４と、画像生成部２３５と、を備えている。
【００２７】
領域分割部２３１は、印刷を行うべき印刷可能領域を検出すると共に、検出された印刷可能領域を複数の対象領域に分割する。画像取得部２３２は、対象領域に対応する印刷用画像データの作成に用いる候補となる複数の画像データを取得する。顔領域情報取得部２３３は、画像取得部２３２により取得された画像データが表す画像（以下、原画像と呼ぶ）において、人物の顔に対応する顔領域を特定する顔領域情報を取得する。顔領域情報取得部２３３は、付属情報取得部２３３１と、顔領域検出部２３３２とを含んでいる。付属情報取得部２３３１は、上述した画像ファイルに含まれる付属情報の中から顔領域情報を取得する。顔領域検出部２３３２は、原画像データを解析して原画像における顔領域を検出し、顔領域情報を出力する。画像配置決定部２３４は、複数の原画像の中から、各対象領域に配置される画像をそれぞれ決定する。配置される画像の決定は、顔領域情報を用いて実行される。画像生成部２３５は、画像配置決定部２３４による配置の結果に基づいて、原画像を加工することにより、印刷可能領域に対応する印刷用画像を生成する。
【００２８】
印刷制御部２４０は、画像生成部２３５により生成された印刷用画像を表す画像データを用いて、上述した印刷部２８０を制御し、電子記録媒体２０に対して印刷を実行する。
【００２９】
・画像処理部２３０の処理：
図３は、画像処理部２３０によって実行される一連の処理の処理ルーチンを示すフローチャートである。本処理によって、プリンタ２００は、画像処理装置として機能する。
【００３０】
本処理は、操作部２７０を介して、ユーザからの電子記録媒体２０に対する印刷の指示を受け付けた時に開始される。本処理が開始されると、画像処理部２３０は、ユーザからの指示に基づいて、本処理に用いる複数の原画像を特定する（ステップＳ１０２）。図４は、本処理に用いる複数の原画像の一例を示す説明図である。特定される複数の原画像は、例えば、一つのイベントにおいて撮影された画像群である。図４に示すように、ユーザが、撮影した画像データを、イベントごとに画像フォルダ２５２に分類して外部記憶装置２５０に格納している場合には、例えば、一の画像フォルダ２５２に格納された複数の画像が、本ステップにおいて、原画像として特定される。以下、図４の下側に示す画像ＧＡ１〜ＧＡ４を含む複数の画像が本ステップにおいて、原画像として特定されたものとして、説明を続ける。
【００３１】
続いて、画像処理部２３０の領域分割部２３１は、電子記録媒体２０上の印刷可能領域を特定する（ステップＳ１０４）。具体的には、領域分割部２３１は、ユーザからの入力によって、電子記録媒体２０の種類を特定し、電子記録媒体２０の種類ごとに予め定められた印刷可能領域を特定しても良い。あるいは、領域分割部２３１は、トレイＴに装着された電子記録媒体２０上にキャリッジ１０を走査し、電子記録媒体２０の位置、および、大きさをキャリッジ１０に取り付けられたセンサ（図示省略）を用いて検出することによって、印刷可能領域を特定しても良い。
【００３２】
図５は、印刷可能領域および印刷可能領域の分割について示す説明図である。領域分割部２３１は、ステップＳ１０４において、例えば、図５（ａ）に示す円領域ＡＲを、印刷可能領域として特定する。円領域ＡＲは、第１の円ＣＲ１と、第２の円ＣＲ２との間の領域である。第１の円ＣＲ１は、第１の径ｒ１を半径とする円であり、第２の円ＣＲ２は、第１の径ｒ１より小さい第２の径ｒ２を半径とする円である。第２の径ｒ２は、第１の径ｒ１の１／３〜８／１程度の大きさである。第１の円ＣＲ１と、第２の円ＣＲ２は、互いに中心Ｃを同じくする同心円である。
【００３３】
印刷可能領域が特定されると、領域分割部２３１は、印刷可能領域を複数の対象領域に分割する（ステップＳ１０６）。例えば、領域分割部２３１は、印刷可能領域としての円領域ＡＲを、図５（ｂ）に示すように、４つの対象領域ＳＡ１〜ＳＡ４に分割する。図５（ｂ）に示すように、第１の対象領域ＳＡ１は、第１の円ＣＲ１の中心Ｃと第１の円ＣＲ１の円周上の点Ｐ１とを結ぶ線分Ｌ１と、第１の円ＣＲ１の中心Ｃと第１の円ＣＲ１の円周上の点Ｐ２とを結ぶ線分Ｌ２とにより、円領域ＡＲから切り出された領域ということができる。同様に、第２の対象領域ＳＡ２は、線分Ｌ２とＬ３によって、第３の対象領域ＳＡ３は、線分Ｌ３とＬ４によって、第４の対象領域ＳＡ４は、線分Ｌ４とＬ１によって、それぞれ円領域ＡＲから切り出された領域である。対象領域ＳＡ１〜ＳＡ４は、円領域ＡＲの右上部分に位置する内角が９０度の略扇型の領域である。
【００３４】
複数の対象領域が規定されると、画像処理部２３０は、ステップＳ１０２において特定された複数の原画像の中から、一の原画像を処理対象として順次に選択する（ステップＳ１０８）。本実施例では、上述した画像ＧＡ１〜ＧＡ４を含む複数の原画像が、符号の末尾の番号順に選択されるものとして、以下の処理を説明していく。以下、本ステップにおいて選択された原画像を対象画像という。
【００３５】
続いて、画像処理部２３０は、対象画像について、画像配置決定処理を実行する（ステップＳ１１０）。図６は、画像配置決定処理の処理ルーチンを示すフローチャートである。
【００３６】
画像配置決定処理が開始されると、画像処理部２３０の画像取得部２３２は、対象画像を表す画像データと、その画像データに関連付けられた付属情報を、画像ファイルから取得する（ステップＳ２０２）。画像ファイルには、画像データと共に、上述したように付属情報が格納されており、かかる付属情報が画像データと共に取得される。
【００３７】
画像データおよび付属情報が取得されると、画像処理部２３０の顔領域情報取得部２３３は、取得された付属情報の中に顔領域情報が含まれているか否かを判断する（ステップＳ２０４）。図７は、複数の原画像の一つである画像ＧＡ１を示す説明図である。画像ＧＡ１の略中央部には、人物の顔Ｆが画像を特徴付ける主要被写体として表現されている。顔領域情報は、例えば、図７に示すように、矩形の顔領域ＦＡの第１の頂点Ｖ１の座標（ｘ１、ｙ１）と、第１の頂点Ｖ１と向かい合う第２の頂点Ｖ２の座標（ｘ２、ｙ２）である。Ｖ１の座標（ｘ１、ｙ１）と、Ｖ２の座標（ｘ２、ｙ２）によって、顔領域ＦＡの原画像における位置、および、大きさが特定される。顔領域ＦＡは、例えば、人物の顔Ｆがおおよそ内接する矩形領域である。
【００３８】
顔領域情報が付属情報の中にあると判断されると（ステップＳ２０４：ＹＥＳ）、顔領域情報取得部２３３の付属情報取得部２３３１は、付属情報の中から顔領域情報を取得する（ステップＳ２０６）。
【００３９】
一方、顔領域情報が付属情報の中にないと判断されると（ステップＳ２０４：ＮＯ）、顔領域情報取得部２３３の顔領域検出部２３３２は、顔領域検出処理を実行する（ステップＳ２０８）。顔領域検出処理は、対象画像を表す画像データの解析により、対象画像内の人物の顔Ｆを認識して、顔領域ＦＡを特定する顔領域情報（例えば、上述したＶ１およびＶ２の座標）を出力する処理である。人物の顔Ｆの認識には、周知の画像処理技術が用いられる。例えば、顔領域検出部２３３２は、ＲＧＢで表現される画像データを、輝度成分Ｙ、色差成分Ｃｂ、Ｃｒで表現されるＹＣｂＣｒの色空間に変換し、所定の閾値内の色差成分を持つ画素を肌色領域として抽出し、抽出した肌色領域に基づいて人物の顔Ｆを認識する。また、顔領域検出部２３３２は、ニューラルネットワークを用いたマッチングにより、人物の顔Ｆの認識を行なっても良い。
【００４０】
続いて、画像処理部２３０の画像配置決定部２３４は、対象画像に顔領域ＦＡがあるか否かを判断する（ステップＳ２１０）。上述したステップＳ２０８またはＳ２０６において、顔領域情報が取得されていれば、顔領域ＦＡがあると判断され、顔領域情報が取得されていなければ、顔領域ＦＡが無いと判断される。例えば、図４における画像ＧＡ１、ＧＡ３、ＧＡ４が対象画像である場合には、顔領域ＦＡがあると判断され、図４における画像ＧＡ２が対象画像である場合には、顔領域ＦＡが無いと判断される。顔領域ＦＡがないと判断されると（ステップＳ２１０：ＮＯ）、画像配置決定部２３４は、空き対象領域に対象画像を仮配置する（ステップＳ２１６）。ここで、空き対象領域は、上述した４つの対象領域ＳＡ１〜ＳＡ４（図５）のうち、そこに配置される原画像が決定されていない対象領域である。「仮配置」された画像は、後述するように、他の原画像に置き換えられる場合がある。空き対象領域が２以上ある場合には、例えば、符号の末尾の数字が小さい対象領域に仮配置される。
【００４１】
一方、顔領域ＦＡがあると判断されると（ステップＳ２１０：ＹＥＳ）、画像配置決定部２３４は、空き対象領域、または、他の画像が仮配置されている対象領域の中に、対象画像の配置に適する対象領域があるか否かを判断する（ステップＳ２１２）。具体的には、まず、４つの対象領域ＳＡ１〜ＳＡ４のうちの空き対象領域および仮配置されている対象領域について、順次、対象画像の配置に適するか否かを判定していく。ここで、一の対象領域が、対象画像を配置するのに適していると判定されるための条件は、一の対象領域に対象画像を所定の基準に従って配置した場合に、対象画像の顔領域ＦＡが一の対象領域に含まれることである。
【００４２】
図８および図９は、対象画像を対象領域に配置した様子を示す説明図である。図８（ａ）は、第１の対象領域ＳＡ１に、対象画像としての画像ＧＡ１を、所定の基準に従って配置した様子を示している。第１の対象領域ＳＡ１に対する対象画像の配置の位置は、図８（ａ）に示すように、矩形の対象画像の下辺を、第１の対象領域ＳＡ１の外形を形成する一の線分Ｌ１に重ね合わせ、対象画像の左辺を、第１の対象領域ＳＡ１の外形を形成する他の線分Ｌ２に重ね合わせた位置である。さらに、かかる配置において、対象画像の大きさは、対象画像の左辺および右辺の長さが、線分Ｌ１およびＬ２の長さ、すなわち、第１の円ＣＲ１の半径ｒ１に一致するように調整される。図８（ｂ）は、４つの対象領域ＳＡ１〜ＳＡ４のそれぞれに、対象画像としての画像ＧＡ１を、上述した基準に従って配置した様子を示している。図９（ａ）および図９（ｂ）は、４つの対象領域ＳＡ１〜ＳＡ４のそれぞれに、対象画像としての画像ＧＡ３および画像ＧＡ４を、それぞれ上述した基準に従って配置した様子を示している。
【００４３】
図８（ｂ）、図９（ａ）、図９（ｂ）を参照して、対象領域ＳＡ１〜ＳＡ４が対象画像の配置に適するか否かの判定について、具体的に説明する。画像ＧＡ１が対象画像である場合、第２の対象領域ＳＡ２は、画像ＧＡ１の配置に適すると判定される。図８（ｂ）に示すように、第２の対象領域ＳＡ２に画像ＧＡ１が配置された場合、顔領域ＦＡが完全に第２の対象領域ＳＡ２内に含まれるからである。一方、画像ＧＡ１が対象画像である場合、第１の対象領域ＳＡ１、第３の対象領域ＳＡ３、第４の対象領域ＳＡ４は、画像ＧＡ１の配置に適さないと判定される。図８（ｂ）に示すように、対象領域ＳＡ１、ＳＡ３、ＳＡ４に画像ＧＡ１が配置された場合、顔領域ＦＡの一部が対象領域ＳＡ１、ＳＡ３、ＳＡ４からはみ出すからである。画像配置決定部２３４は、例えば、矩形の顔領域ＦＡの４つの頂点のうち、第１の円ＣＲ１の中心Ｃとの距離が最も離れている点と、中心Ｃとの距離が第１の円ＣＲ１の半径（第１の径ｒ１）より大きい場合には、顔領域ＦＡが対象領域からはみ出していると判断する。
【００４４】
画像ＧＡ３（図４）が対象画像である場合、全ての対象領域ＳＡ１〜ＳＡ４は、画像ＧＡ３の配置に適さないと判定される。図９（ａ）に示すように、対象領域ＳＡ１〜ＳＡ４に画像ＧＡ３が配置された場合、顔領域ＦＡの一部が対象領域ＳＡ１〜ＳＡ４からはみ出すからである。画像ＧＡ４（図４）が対象画像である場合、第１の対象領域ＳＡ１は、画像ＧＡ４の配置に適すると判定される。図９（ｂ）に示すように、第１の対象領域ＳＡ１に画像ＧＡ４が配置された場合、顔領域ＦＡが完全に第１の対象領域ＳＡ１内に含まれるからである。一方、画像ＧＡ４が対象画像である場合、対象領域ＳＡ２〜ＳＡ４は、画像ＧＡ４の配置に適さないと判定される。図９（ｂ）に示すように、対象領域ＳＡ２〜ＳＡ４に画像ＧＡ４が配置された場合、顔領域ＦＡの一部が対象領域ＳＡ２〜ＳＡ４からはみ出すからである。
【００４５】
空き対象領域、または、他の画像が仮配置されている対象領域の中に、対象画像の配置に適する対象領域があると判断された場合には（ステップＳ２１２：ＹＥＳ）、画像配置決定部２３４は、その対象領域に対象画像を配置すると正式に決定する（ステップＳ２１４）。ここで、本ステップにおいて、画像配置決定部２３４は、他の画像が仮配置されている対象領域に、対象画像を配置すると決定する場合には、その対象領域に仮配置されている画像を、他の空き対象領域に仮配置する。もし、他の空き対象領域がない場合には、仮配置されている画像は、どの対象領域にも配置されず、後の印刷用画像の生成には用いられないと決定される。
【００４６】
一方、空き対象領域、または、他の画像が仮配置されている対象領域の中に、対象画像の配置に適する対象領域がないと判断された場合には（ステップＳ２１２：ＮＯ）、そのまま画像配置決定処理を終了する。かかる場合には、対象画像は、どの対象領域にも配置されず、後の印刷用画像データの生成には、用いられないこととなる。
【００４７】
図３に戻って、説明を続ける。画像配置決定処理が終了されると、画像処理部２３０は、全ての対象領域ＳＡ１〜ＳＡ４について、配置される画像が決定したか否かを判断する（ステップＳ１１２）。ここで、上述した画像配置決定処理のステップＳ２１６において原画像が仮配置されている対象領域は、配置される画像が決定していないと判断される。つまり、上述した画像配置決定処理のステップＳ２１２において、原画像のいずれかを配置すると決定された対象領域のみが、配置される画像が決定したとされる。
【００４８】
全ての対象領域ＳＡ１〜ＳＡ４について、配置される画像が決定したと判断されると（ステップＳ１１２：ＹＥＳ）、画像処理部２３０は、ステップＳ１１６に移行する。一方、いずれかの対象領域について、配置される画像が決定していないと判断されると（ステップＳ１１２：ＮＯ）、上述したステップＳ１０２において特定された全ての原画像を対象画像として選択して、上述した画像配置決定処理が実行されたか否かを判断する（ステップＳ１１４）。全ての原画像を対象画像として、画像配置決定処理が実行されたと判断されると（ステップＳ１１４：ＹＥＳ）、画像処理部２３０は、ステップＳ１１６に移行する。一方、未だ対象画像として選択されていない原画像があると判断されると（ステップＳ１１４：ＮＯ）、画像処理部２３０は、ステップＳ１０８に戻り、未選択の原画像を対象画像として選択し、上述した画像配置決定処理を繰り返す。
【００４９】
ここで、理解を容易にするため、図４に示す画像ＧＡ１〜ＧＡ４が、順次、対象画像として選択され（ステップＳ１０８）、画像配置決定処理（ステップＳ１１０）が繰り返される様子を、図１０を参照して説明する。図１０は、画像配置決定処理の具体例を説明するための概念図である。まず、画像ＧＡ１を対象画像として、画像配置決定処理が実行されると、画像ＧＡ１は、画像ＧＡ１を配置するのに適する第２の対象領域ＳＡ２に配置されることが決定される（図１０（ａ））。この段階で、空き対象領域は、第１の対象領域ＳＡ１と、第３の対象領域ＳＡ３と、第４の対象領域ＳＡ４である。
【００５０】
続いて、画像ＧＡ２を対象画像として、画像配置決定処理が実行されると、画像ＧＡ２は、顔領域ＦＡ（人物の顔Ｆ）を含まないので、空き対象領域である第１の対象領域ＳＡ１に仮配置される（図１０（ｂ））。この時点で、空き対象領域は、第３の対象領域ＳＡ３と、第４の対象領域ＳＡ４であり、仮配置されている対象領域は、第１の対象領域ＳＡ１である。
【００５１】
さらに、画像ＧＡ３を対象画像として、画像配置決定処理が実行されると、画像ＧＡ３は、空き対象領域および仮配置されている対象領域（対象領域ＳＡ１、ＳＡ３、ＳＡ４）の中に、配置するのに適する対象領域が無いので、どの対象領域にも配置されない。したがって、この時点では、配置状況は、図１０（ｂ）のままである。
【００５２】
続いて、画像ＧＡ４を対象画像として、画像配置決定処理が実行されると、画像ＧＡ４は、空き対象領域および仮配置されている対象領域（対象領域ＳＡ１、ＳＡ３、ＳＡ４）のうち配置するのに適する第１の対象領域ＳＡ１に配置されることが決定される（図１０（ｃ））。この時、先に第１の対象領域ＳＡ１に仮配置されている画像ＧＡ２（図１０（ｂ））は、空き対象領域である第３の対象領域ＳＡ３に、仮配置される（図１０（ｃ））。
【００５３】
以上のように、対象画像を順次変更しながら、画像配置決定処理が実行された結果、全ての原画像を対象画像として画像配置決定処理が実行された場合、あるいは、全ての対象領域ＳＡ１〜ＳＡ４について配置される原画像が決定された場合に、画像処理部２３０は、配置結果に基づいて、印刷用画像を生成する処理（印刷用画像生成処理）を実行する（ステップＳ１１６）。
【００５４】
図１１は、印刷用画像生成処理に移行する時点における画像の配置状況の一例を示す図である。図１１に示す例では、第１の対象領域ＳＡ１に画像ＧＡ４、第２の対象領域ＳＡ２に画像ＧＡ１、第４の対象領域ＳＡ４に画像ＧＡ６が正式に配置され、第３の対象領域ＳＡ３に画像ＧＡ２が仮配置されている。印刷用画像生成処理に移行する時点において、いずれかの対象領域に画像が仮配置されている場合には、その対象領域には、仮配置されている画像が、正式に配置されることになる。
【００５５】
図１２は、印刷用画像生成処理について示す説明図である。画像生成部２３５は、上述した画像配置決定処理により各対象領域について配置が決定された原画像を用いて、印刷可能領域である円領域ＡＲに対応する印刷用画像ＰＧＡを生成する。すなわち、画像生成部２３５は、図１２示すように、円領域ＡＲ上に配置された各原画像の画像データをトリミング加工して、円領域ＡＲの形状に合わせた印刷用画像ＰＧＡを表す印刷用画像データを生成する。
【００５６】
生成された印刷用画像データは、印刷制御部２４０によって、色変換処理、ハーフトーン処理を施され、印刷用制御コマンドを含むラスタデータに変換され、印刷部２８０に出力される。印刷部２８０は、ラスタデータに従って、電子記録媒体２０に対して、印刷を実行する。
【００５７】
以上説明した本実施例に係る画像処理装置としてのプリンタ２００によれば、複数の原画像の中から人物の顔Ｆが欠けないように対象領域に配置できる画像が選択され、適切な対象領域に配置される。そして、配置結果に基づいて、円領域ＡＲに対応する印刷用画像を表す印刷用画像データが生成される。したがって、生成された印刷用画像データを用いて印刷を行えば、印刷結果において、顔領域が欠けることがなく、印刷画像の見映えを向上することができる。
【００５８】
さらに、ユーザが印刷用画像の生成に用いられる原画像を複数枚指定するだけで、画像処理部２３０は、自動的に適切な画像を選択・配置する。従って、印刷用画像の生成におけるユーザの負担を軽減することができる。
【００５９】
また、顔領域情報の取得は、顔領域情報が付属情報として原画像に関連付けられている場合には、当該付属情報を取得することにより行われる。一方、顔領域情報が付属情報として原画像に関連付けられていない場合には、原画像を表す画像データを解析することにより行われる。従って、原画像に顔領域情報が関連付けられているか否かに関わらず、画像処理部２３０は、顔領域情報を取得することができる。
【００６０】
Ｂ．変形例：
・第１変形例：
上記実施例において、画像配置決定部２３４が、対象画像を一の対象領域に配置すると決定するための条件は、一の対象領域に対象画像を、所定の位置に配置した場合に、顔領域ＦＡが一の対象領域に含まれることであるが、条件はこれに限られない。例えば、この条件に加えて、一の対象領域に対象画像を、顔領域ＦＡの対象領域に対する大きさが所定値以上であることを条件としても良い。こうすれば、生成される印刷用画像において、人物の顔Ｆが小さ過ぎることがなく、印刷結果の見映えをさらに向上することができる。
【００６１】
・第２変形例：
上記実施例において、複数の原画像を、どのような順番で対象画像として選択し（図３：ステップＳ１０８）、画像配置決定処理（図３：ステップＳ１１０）を実行していくかについては、特に規定されていない。例えば、複数の原画像に優先順位を付与し、優先順位に従って、複数の原画像を対象画像として選択しても良い。優先順位は、例えば、ユーザが予め各原画像に付与することとしても良い。あるいは、画像処理部２３０が原画像の画像データを解析し、各原画像の画質の程度を示す評価値を算出し、評価値の高い順に優先順位を付与しても良い。画質の程度を示す評価値は、例えば、画像の「明るさ」「コントラスト」「彩度」「合焦状態」「シャープネス」などの程度を、周知の画像処理技術により評価して、画像を採点することにより定められる。さらには、優先順位は、撮影日時の新しい順に、各原画像に付与されても良い。
【００６２】
本変形例によれば、顔領域ＦＡの原画像における位置および大きさに加えて、原画像の優先順を考慮して、対象領域に配置される原画像を決定することになる。従って、よりユーザの意図に沿った印刷用画像や、より画質の優れた印刷用画像を生成することができる。
【００６３】
・第３変形例：
画像配置決定部２３４は、複数の対象領域ＳＡ１〜ＳＡ４に、画像が時系列順に配置されるように、各対象領域に配置される原画像を決定しても良い。例えば、円領域ＡＲに対して時計回りに、すなわち、第１の対象領域ＳＡ１−第２の対象領域ＳＡ２−第３の対象領域ＳＡ３−第４の対象領域ＳＡ４という順に、原画像が時系列順に配置されるように、各対象領域に配置される原画像が決定されても良い。具体的には、複数の原画像に時系列順に優先順位を付与する。そして、まず、第１の対象領域ＳＡ１について、優先順位の高い原画像から順に、配置するか否かを判断する。そして、第１の対象領域ＳＡ１に配置する原画像が決定された後に、第２の対象領域ＳＡ２について、第１の対象領域ＳＡ１に配置される原画像より優先順位の低い原画像の中から優先順位の高い順に、配置するか否かを判断する。このようにして、全ての対象領域について配置する原画像を決定すれば、対象領域ＳＡ１〜ＳＡ４に、時系列順に、原画像を配置することができる。こうすれば、上記実施例とは、異なる趣向を持った印刷用画像を生成することができる。
【００６４】
・第４変形例：
上記実施例では、原画像を特徴付ける人物の顔Ｆが、原画像につき１つである場合について説明されているが、人物の顔Ｆの数は、原画像につき１つに限られない。図１３は、複数の人物の顔を含む原画像の一例を示す説明図である。図１３に示す画像ＧＡａ〜ＧＡｃは、画像を特徴付ける被写体として、２つの人物の顔Ｆ１、Ｆ２を含んでいる。かかる場合には、例えば、図１３（ａ）〜（ｃ）に示すように、２つ人物の顔Ｆ１、Ｆ２のそれぞれに対応する顔領域ＦＡ１およびＦＡ２を特定する。そして、例えば、図１３（ａ）に示すように、複数の顔領域ＦＡ１およびＦＡ２の全てが対象領域（図１３の例では、第１の対象領域ＳＡ１）に含まれる場合に、当該対象領域は、当該原画像を配置するのに適すると判断しても良い。加えて、図１３（ｂ）に示すように、複数の顔領域ＦＡ１、ＦＡ２のうちの一部の顔領域（図１３（ｂ）の例では、顔領域ＦＡ１）の全体が、対象領域に含まれ、他の顔領域（図１３（ｂ）の例では、顔領域ＦＡ２）の全体が、対象領域から外れている場合も、当該対象領域は、当該原画像を配置するのに適すると判断しても良い。一方、図１３（ｃ）に示すように、複数の顔領域ＦＡ１、ＦＡ２のうちの一部の顔領域（図１３（ｃ）の例では、顔領域ＦＡ２）の一部分が対象領域に含まれ、他の部分が対象領域からはみ出る場合には、当該対象領域は、当該原画像を配置するのに適していないと判断する。
【００６５】
・第５変形例：
上記実施例では、円領域ＡＲを４つの対象領域ＳＡ１〜ＳＡ４に分割しているが、これに限られない。図１４は、変形例に係る円領域ＡＲの分割の一例を示す説明図である。図１４に示す例では、円領域ＡＲを、線分Ｌ１〜Ｌ３により、内角が１２０度である略扇型の３つの対象領域ＳＡ１〜ＳＡ３に分割している。このように、対象領域は、例えば、第１の円ＣＲ１の中心Ｃと、第１の円ＣＲ１の円周上の２点とをそれぞれ結ぶ２本の線分（例えば、図１４：Ｌ１、Ｌ２）により切り出される領域であれば良く、例えば、円領域ＡＲを５〜８等分する略扇型の領域を対象領域としても良い。かかる場合には、対象領域の形状に合わせて、対象領域に対して原画像を配置する基準を適宜変更することが好ましい。例えば、対象領域を、円領域ＡＲを３等分した領域とする場合（図１４）には、図１４に示すように、原画像としての画像ＧＡの下辺の中点を第１の円ＣＲ１の中心Ｃに合わせ、ＧＡの上下方向を、対象領域の内角を２等分する線（図１４における一点破線）に合わせても良い。そして、対象領域の中心Ｃと、中心Ｃ以外のいずれかの部分（図１４の例では、第１の円ＣＲ１と線分Ｌ１との交点、および、第１の円ＣＲ１と線分Ｌ２との交点）が画像ＧＡに内接するように、画像ＧＡの大きさを調整すれば良い。
【００６６】
・第６変形例：
画像配置決定部２３４は、顔領域情報を用いて、対象領域ＳＡ１〜ＳＡ４のそれぞれについて、配置される候補画像を選択し、ユーザからの候補画象の中から配置する画像を指定する指示を受け付けても良い。そして、受け付けられた指示により指定された画像を、各対象領域に配置される画像として決定しても良い。
【００６７】
例えば、画像配置決定部２３４は、複数の原画像と、複数の対象領域ＳＡ１〜ＳＡ４の全ての組み合わせについて、当該原画像は当該対象領域に配置するのに適するか否かを判定する。図１５は、判定結果の一例を示す説明図である。図１５において、「○」は、対応する原画像と対象領域の組み合わせについて、当該原画像は当該対象領域に配置するのに適することを示し、「×」は、配置するのに適さないことを示す。例えば、図１５における最も下の行に、「○」が付されている原画像は、第４の対象領域ＳＡ４に配置される候補画像となる。ここで、図４に示す画像ＧＡ２のように顔領域ＦＡを有さない原画像は、全ての対象領域ＳＡ１〜ＳＡ４について候補画像としても良い。
【００６８】
画像配置決定部２３４は、図１５に示す判定結果に基づき各対象領域について、候補画像を選択する。画像配置決定部２３４は、表示部２６０を介して、選択された候補画像をユーザに提示して、各対象領域の候補画像の中から配置する画像を指定するように促す。図１６は、候補画像をユーザに提示するためのＧＵＩ（Graphical User Interface）の一例を示す図である。図１６に示すＧＵＩは、対象領域ごとに、候補画像のサムネイル画像ＳＮが表示され、各対象領域に配置する画像を候補画像の中から、カーソルＳＣを用いて指定できるようにされている。
【００６９】
第６変形例によれば、上記実施例と同様の効果に加えて、さらに、ユーザの意図に沿った印刷用画像を生成することができる。
【００７０】
・その他の変形例：
上記実施例では、顔領域情報は、付属情報の中から、あるいは、画像解析により取得されるが、これに限られない。例えば、顔領域情報取得部２３３は、ユーザから操作部２７０を介して、顔領域情報の入力を受け付けることにより、取得しても良い。具体的には、表示部２６０に、原画像を矢印などのカーソルと共に表示し、ユーザが操作部２７０を用いて、カーソルを操作し、原画像の特徴的な領域を指示する。顔領域情報取得部２３３は、かかる指示に基づいて、顔領域情報を取得することができる。
【００７１】
上記実施例では、人物の顔Ｆを含む顔領域ＦＡを、原画像を特徴付ける特徴領域として用いているが、特徴領域は、これに限られない。例えば、原画像が花などの植物や、犬などの動物を主要被写体とする画像である場合には、主要被写体である植物や動物を含む領域を、特徴領域としても良い。
【００７２】
上記実施例では、プリンタ２００が画像処理部２３０を備えており、スタンドアローンにて画像処理および印刷処理を実行することができる。これに代えて、パーソナルコンピュータや、デジタルカメラを画像処理装置として用いても良い。かかる場合には、パーソナルコンピュータやデジタルカメラに上述した画像処理部２３０の機能を実現するためのソフトウェアが実装され、パーソナルコンピュータやデジタルカメラにおいて、図３に示す画像処理が実行される。かかる場合、プリンタは、パーソナルコンピュータやデジタルカメラから印刷用データを受け取り、電子記録媒体に対して印刷を実行する。
【００７３】
上記実施例において生成される印刷用画像データは、円形の電子記録媒体に対して直接印刷するために用いられる場合に限らず、円形の電子記録媒体に貼付けるためのシールに対する印刷など、種々の印刷媒体に対して印刷するために用いられ得る。
【００７４】
上記実施例において、ハードウェアによって実現されていた構成の一部をソフトウェアに置き換えてもよく、逆に、ソフトウェアによって実現されていた構成の一部をハードウェアに置き換えてもよい。
【００７５】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【図面の簡単な説明】
【００７６】
【図１】実施例に係る画像処理装置として機能するプリンタの概略構成を示すブロック図。
【図２】実施例におけるプリンタの印刷部の概略構成を示す説明図。
【図３】画像処理部によって実行される一連の処理の処理ルーチンを示すフローチャート。
【図４】画像処理に用いる複数の原画像の一例を示す説明図。
【図５】印刷可能領域および印刷可能領域の分割について示す説明図。
【図６】画像配置決定処理の処理ルーチンを示すフローチャート。
【図７】複数の原画像の一つである画像ＧＡ１を示す説明図。
【図８】対象画像を対象領域に配置した様子を示す第１の説明図。
【図９】対象画像を対象領域に配置した様子を示す第２の説明図。
【図１０】画像配置決定処理の具体例を説明するための概念図。
【図１１】印刷用画像生成処理に移行する時点における画像の配置状況の一例を示す図。
【図１２】印刷用画像生成処理について示す説明図。
【図１３】複数の人物の顔を含む原画像の一例を示す説明図。
【図１４】変形例に係る円領域の分割の一例を示す説明図。
【図１５】判定結果の一例を示す説明図。
【図１６】候補画像をユーザに提示するためのＧＵＩの一例を示す図。
【符号の説明】
【００７７】
１０...キャリッジ
１１...記録ヘッド
１３...キャリッジガイド軸
１６...嵌合部
２０...電子記録媒体
２００...プリンタ
２１０...ＣＰＵ
２２０...内部記憶装置
２３０...画像処理部
２３１...領域分割部
２３２...画像取得部
２３３...顔領域情報取得部
２３３１...付属情報取得部
２３３２...顔領域検出部
２３４...画像配置決定部
２３５...画像生成部
２４０...印刷制御部
２５０...外部記憶装置
２５２...画像フォルダ
２６０...表示部
２７０...操作部
２８０...印刷部
Ｔ...トレイ
ＳＡ１〜ＳＡ４...対象領域
【図１】
2007235686.tif 000003
【図２】
2007235686.tif 000004
【図３】
2007235686.tif 000005
【図４】
2007235686.tif 000006
【図５】
2007235686.tif 000007
【図６】
2007235686.tif 000008
【図７】
2007235686.tif 000009
【図８】
2007235686.tif 000010
【図９】
2007235686.tif 000011
【図１０】
2007235686.tif 000012
【図１１】
2007235686.tif 000013
【図１２】
2007235686.tif 000014
【図１３】
2007235686.tif 000015
【図１４】
2007235686.tif 000016
【図１５】
2007235686.tif 000017
【図１６】
2007235686.tif 000018